(57)【要約】【課題】作業データと機械データとの両方の結果報告を作業終了後即刻提出できるようにしたビル設備の作業報告書作成装置を提出することにある。【解決手段】昇降機等のビル設備１１に対して保守、点検等の作業を行った後に作成するビル設備の作業報告書作成装置において、前記ビル設備１１の状態を常時機械監視する監視端末１２と、この監視端末１２で監視した機械データ３１を定期的に収集し管理する管制センター２と、前記ビル設備１１に出動した際に作業員の操作により作業データ３２を登録する携帯作業端末４１と、前記管制センター２で収集した機械データ３１と前記携帯作業端末４１からの作業データ３２をもとに、作業報告書５の出力用データ３４を作成する保全管理装置３と、この保全管理装置３で作成した出力用データ３４を前記携帯作業端末４１で受け取り、前記機械データ３１と作業データ３２とを表示用機械データ５４と表示用作業データ５２，５３として併記した報告書５を作成する携帯プリンター４２とから構成した。【選択図】図１
2007034509.tif 000002
【特許請求の範囲】
【請求項１】
昇降機等のビル設備に対して保守、点検等の作業を行った後に作成するビル設備の作業報告書作成装置において、
前記ビル設備の状態を常時機械監視する監視端末と、この監視端末で監視した機械データを定期的に収集し管理する管制センターと、前記ビル設備に出動した際に作業員の操作により作業データを登録する携帯作業端末と、前記管制センターで収集した機械データと前記携帯作業端末からの作業データをもとに、作業報告書の出力用データを作成する保全管理装置と、この保全管理装置で作成した出力用データを前記携帯作業端末で受け取り、前記機械データと作業データとを表示用機械データと表示用作業データとして併記した報告書を作成する携帯プリンターとから構成したことを特徴とするビル設備の作業報告書作成装置。
【請求項２】
前記作業報告書のデータ表示として、前記機械データは数値により、作業データは正否および文字表示としたことを特徴とする請求項１記載のビル設備の作業報告書作成装置。
【請求項３】
前記作業報告書を、機種または作業部位が異なる複数の設備の作業項目を同時に表示できるように構成したことを特徴とする請求項１記載のビル設備の作業報告書作成装置。
【請求項４】
前記作業報告書に、前記作業員が顧客に報告したい事項を文章表示する要旨報告欄を備えたことを特徴とする請求項１記載のビル設備の作業報告書作成装置。
【請求項５】
前記要旨報告欄に、作業員が作業した内容と顧客に修理を促す内容を備えたことを特徴とする請求項４記載のビル設備の作業報告書作成装置。
【発明の詳細な説明】
【技術分野】
【０００１】
本発明は、昇降機等のビル設備を保守、点検等行った後に作成するビル設備の作業報告書作成装置に関する。
【背景技術】
【０００２】
エレベーターやエスカレータ−等のビル設備が故障すると、修理に長期間を要したりして利用者に多大の不便を強いてしまう。このため、設備の予防保全として、定期的に作業員が昇降機の設置されているビルを訪問してその状態を保守、点検等行って必要な措置を講じると共に作業報告書を作成して顧客に提出するようにしていた(例えば、特許文献１参照)。
【特許文献１】特開平１０−１７２３１号公報
【発明の開示】
【発明が解決しようとする課題】
【０００３】
前記従来技術においては、作業員の携帯する携帯作業端末に、作業データを入力し、この携帯作業端末を事務所に設けられた報告書作成装置に接続して作業報告書を作成するため、顧客に作業報告書を提出する時期が遅れてしまうという問題があった。
【０００４】
また、前記作業報告書には、ビル設備に監視端末を設け、この監視端末で収集した機械データを反映するようにはなっていなかった。
【０００５】
本発明の目的は、前記作業データと前記機械データとの両方の結果報告を作業終了後即刻提出できるようにしたビル設備の作業報告書作成装置を提出することにある。
【課題を解決するための手段】
【０００６】
上記目的を達成するため本発明は、昇降機等のビル設備に対して保守、点検等の作業を行った後に作成するビル設備の作業報告書作成装置において、前記ビル設備の状態を常時機械監視する監視端末と、この監視端末で監視した機械データを定期的に収集し管理する管制センターと、前記ビル設備に出動した際に作業員の操作により作業データを登録する携帯作業端末と、前記管制センターで収集した機械データと前記携帯作業端末からの作業データをもとに、作業報告書の出力用データを作成する保全管理装置と、この保全管理装置で作成した出力用データを前記携帯作業端末で受け取り、前記機械データと作業データとを併記した報告書を作成する携帯プリンターとから構成したことを特徴とする。
【０００７】
上記構成とすることにより、作業データと機械データとを併記した作業報告書を作業終了後すぐに顧客に提出することができ、顧客に対して時宜にかなった報告を行うことができる。
【発明の効果】
【０００８】
本発明によれば、作業データと機械データとを併記した作業報告書を作業終了後すぐに顧客に提出することができ、顧客に対して時宜にかなった報告を行うことができる。
【発明を実施するための最良の形態】
【０００９】
以下本発明の実施形態を図面に基づき説明する。
【００１０】
図１は本発明の一実施形態になるビル設備の作業報告書作成装置を示す全体構成図、図２は本発明の作業報告書の一実施形態を示す図、図３は本発明の別の実施形態による作業報告書を示す図である。
【００１１】
図１に示すように、ビル１内にはビル設備１１とビル設備１１の状態を常時機械監視する監視端末１２が備えられ、この監視端末１２が監視した機械データは、定期的に管制センター２により収集され管理される。一方、ビル設備１１を定期的に訪問し保守、点検等の作業を行う作業員は、作業中ないし作業後に作業者携帯品４に含まれる携帯作業端末４１を操作し作業データを登録する。
【００１２】
登録された作業データ３２は保全管理装置３へ電送され、前述した管制センター２から電送されてきた機械データ３１と共に、保全管理装置３に一時的に保管される。ここで保全管理装置３は、機械データ３１と作業データ３２をもとに、予め設定されたルールに従って報告書の出力用データ３４を作成し、携帯作業端末４１へ電送する。
【００１３】
電送された出力用データ３４は、携帯作業端末４１と無線通信である光通信や有線によって用事に接続される業者携帯品４に含まれる携帯プリンター４２から、報告書５として印刷出力される。
【００１４】
これにより、作業者は作業データを登録するだけで報告書を作成することができ、また事務所に帰参することなく報告書を作成することができるため、即時性のある報告が可能となる。更には、従来は作成が困難であった、機械データを反映し組み込んだ報告書を作成することができる。
【００１５】
こので、図１において、機械データ３１、作業データ３２、出力用データ３４、翻訳データ３５と、個別に表示したが、これらを必要に応じ複数合体した記憶装置としても良い。
【００１６】
図２に示すように、前述した報告書５には、作業報告欄５１が設けられ、複数の設備５１１、５１２ならびに複数の作業５１Ａ、５１Ｂ、５１Ｃについての報告がなされている。また、一つの設備の一つの作業に対して、表示用作業データ(正)５２または表示用作業データ(否)５３と、表示用機械データ５４があわせて報告されている。ここで表示用機械データ５４は数値で表示され、この数値は、機械データ３１と作業データ３２とを、判定手段３３により判定し、予め設定された判定値から外れる場合は色を変えて表示する等の制御を行う。一方表示用作業データ(正)５２または表示用作業データ(否)５３は、正否を示す文字の他に、実施した作業内容についても説明する文字を記載する。
【００１７】
ここで、一方の設備５１１では実施し、他の設備５１２では実施しない作業５１Ｂについては、設備５１２のみ作業対象外項目５５として報告欄を消し込み、報告を行わない。以上の構成とすることで、機種や作業部位の異なる複数の設備に対する作業を同時に表示することが可能となる。
【００１８】
次に、図３に示す報告書５には、要旨報告欄５６が設けられ、作業員が顧客に報告したい事項を文章表示することができる。また要旨報告欄５６には、作業員が作業した内容や顧客に修理を促す内容を文章表示することができる。
【００１９】
ここで、要旨報告欄５６に表示する文章は、作業データ３２の登録項目や携帯作業端末４１の入力項目から作成することができる。または、作業データ３２の結果に基づき、翻訳データ３５内に予め設定される例えば、「○○号機」、「○○作業を実施いたしました。」「部品交換いたしました。」等から適切な文言を抽出して、自動的に報告文書を作成することも可能である。
【図面の簡単な説明】
【００２０】
【図１】本発明の一実施形態になるビル設備の作業報告書作成装置を示す全体構成図である。
【図２】本発明の作業報告書の一実施形態を示す図である。
【図３】本発明の別の実施形態による作業報告書を示す図である。
【符号の説明】
【００２１】
１    ビル
２    管制センター
３    保全管理装置
５    報告書
１１  ビル設備
１２  監視端末
３４  出力用データ
４１  携帯作業端末
４２  携帯プリンター
５２  表示用作業データ(正)
５３  表示用作業データ(否)
５４  表示用機械データ
５６  要旨報告欄
【図１】
2007034509.tif 000003
【図２】
2007034509.tif 000004
【図３】
2007034509.tif 000005